(57)【要約】【課題】台紙に接着剤層を備えて任意の位置に写真印画紙や印刷物を貼ることができるアルバムを、台紙と同サイズのような従来貼りにくかった大きいサイズの印画紙なども容易に貼れるものとする。【解決手段】厚紙で形成した台紙１と、台紙１の非綴じ込み側端で折り返し、台紙両面を覆う透明フィルムシート３と、台紙１の両面にそれぞれ形成した接着剤層２とを備え、台紙１の各面の接着剤層２は、台紙１の左右幅のほぼ中央位置に縦方向所定幅に形成した第１の接着剤層エリア２ａと、台紙綴じ込み代寄り位置に縦方向所定幅に形成した第２の接着剤層エリア２ｂとに分けて配置する。第１の接着剤層エリア２ａの非綴じ込み側端寄りの部分には第１の接着剤層なしエリア１ａを設け、第１と第２の接着剤層エリアの間には第２の接着剤層なしエリア１ｂを設け、透明フィルムシート３は、台紙綴じ込み代側の端縁を内側に折り返し、第２の接着剤層エリア２ｂ上に折り返し面３ｂを接着させるとともに、折り返し端は第２の接着剤層なしエリア１ｂに至る大きさとする。  【選択図】    図１
2005059345.tif 000002
【特許請求の範囲】
【請求項１】
厚紙で形成した台紙と、
前記台紙の非綴じ込み側端で折り返し、前記台紙の綴じ込み側端では綴じ込み代を残して前記台紙の両面を覆う透明フィルムシートと、
前記台紙の両面にそれぞれ形成した接着剤層と、を備えるアルバムであって、
前記台紙の各面の接着剤層は、台紙の左右のほぼ中央位置に縦方向所定幅に形成した第１の接着剤層エリアと、台紙綴じ込み代寄り位置に縦方向所定幅に形成した第２の接着剤層エリアとを設け、
前記第１の接着剤層の非綴じ込み側端寄りの部分には第１の接着剤層なしエリアを設け、また、前記第１と第２の接着剤層エリアの間の部分には第２の接着剤層なしエリアを設け、
前記透明フィルムシートは、台紙綴じ込み代側の端縁を内側に折り返し、前記第２の接着剤層エリア上に折り返し面を接着させるとともに、折り返し端は前記第２の接着剤層なしエリアに至る大きさとしたことを特徴とするアルバム。  
【発明の詳細な説明】
【技術分野】
【０００１】
本発明は写真の印画紙を保存するアルバムに関し、特に印画紙の貼り付け作業がやりやすいように改善したアルバムに関する。
【背景技術】
【０００２】
図６に従来のアルバムを構成する台紙を示す。１０は台紙であり、厚紙で形成され、一方の端縁は綴じ込み孔１１として複数の孔が穿設され、この綴じ込み孔１１を避けた位置から粘着性の感圧性接着剤が全面に塗布されて接着剤層１２を形成する。１３は接着剤層１２を覆うようにした透明フィルムであり、台紙１０の両面に接着剤層１２が設けてあるので透明フィルム１３は台紙１０の綴じ込み孔１１とは逆の端縁で折り返して両面を覆うように設定されている。
【０００３】
【特許文献１】実開昭４９−２５５１３号公報にその例が開示されている。
【発明の開示】
【発明が解決しようとする課題】
【０００４】
このような従来のアルバムにおいては、写真の印画紙等を貼付する場合に非常に自由度が少なく、例えば、台紙１０のサイズ一杯の大きな印画紙を貼り付けようとすると、その位置を定めにくく、曲がって貼ったり、上下左右の余白のバランスが悪かったり、何度もやり直さなくてはならないという欠点があり、さらに貼りなおそうとして剥がす際、印画紙を破ったりシワが発生したりする問題があった。本発明はこのようなアルバムを、台紙サイズ一杯のような大きなサイズの印画紙でも容易に貼付収納ができるようにすることを課題とする。
【課題を解決するための手段】
【０００５】
上記の課題を解決するため本発明では、厚紙で形成した台紙と、前記台紙の非綴じ込み側端で折り返し、前記台紙の綴じ込み側端では綴じ込み代を残して前記台紙の両面を覆う透明フィルムシートと、前記台紙の両面にそれぞれ形成した接着剤層と、を備えるアルバムであって、前記台紙の各面の接着剤層は、台紙の左右幅のほぼ中央位置に縦方向所定幅に形成した第１の接着剤層エリアと、台紙綴じ込み代寄り位置に縦方向所定幅に形成した第２の接着剤層エリアとを設け、前記第１の接着剤層の非綴じ込み側端寄りの部分には第１の接着剤層なしエリアを設け、また、前記第１と第２の接着剤層エリアの間の部分には第２の接着剤層なしエリアを設け、前記透明フィルムシートは、台紙綴じ込み代側の端縁を内側に折り返し、前記第２の接着剤層エリア上に折り返し面を接着させるとともに、折り返し端は前記第２の接着剤層なしエリアに至る大きさとした。
【発明の効果】
【０００６】
透明フィルムシートは、台紙綴じ込み代側の端縁を内側に折り返してこの部分を２重とし、第２の接着剤層上に折り返し面を接着させるとともに、折り返し端は第２の接着剤層なしエリアに至る大きさとしたことによって、台紙サイズ同様のような大型印画紙でも、印画紙の端部を折り返し部内に目一杯挿し込むことで位置決めが可能となり、そのまま透明フィルムシートを台紙側に向け圧接させれば第１の接着剤層の非綴じ込み側端寄りの部分には第１の接着剤層なしエリアを設けてあるので、印画紙の綴じ込み代側と逆の端縁が第１の接着剤層なしエリア表面を滑るように移動するのでキレイに収めることができるものである。
【０００７】
また、透明フィルムシートは、台紙綴じ込み代側の端縁を内側に折り返し、第２の接着剤層上に折り返し面を接着させるとともに、折り返し端は第２の接着剤層なしエリアに至る大きさとしたことによって、大型の印画紙であっても剥がすときには端部を挿し込んだ透明フィルムシートの折り返し部分を指で簡単に持ち上げて取り出すことができ、剥がす際にシワや破れを生じることがない。
【０００８】
また、第１の接着剤層の非綴じ込み側端寄りの部分には第１の接着剤層なしエリアを、第１と第２の接着剤層の間の部分には第２の接着剤層なしエリアを設けるようにしたので、名刺や小型の写真などをこのエリアに跨るように貼付することによって、位置の基準が得られて貼りやすく、また、剥がす場合にも全面が貼付されているわけではないので簡単に剥がすことができ、剥がす際にシワや破れを生じることがない。
【発明を実施するための最良の形態】
【０００９】
本発明のアルバムは、アルバムを構成する台紙の表面に塗布或いは印刷されている粘着性の感圧接着剤は、従来台紙面の綴じ込み代を除く全体にベタに設けていたが、これを接着剤なしの部分を設けるようにしたものである。
【００１０】
接着剤層エリアは、台紙の左右幅のほぼ中央位置に縦方向台紙一杯に、横方向台紙幅のほぼ１／３程度の大きさに形成した第１の接着剤層エリアと、台紙綴じ込み代寄り位置に縦方向台紙一杯に、横方向は第１の接着剤層エリアより小さく形成した第２の接着剤層エリアとする。そして第１の接着剤層の左端部から非綴じ込み側端寄りの部分は第１の接着剤層なしエリアとし、また、第１と第２の接着剤層の間の部分は第２の接着剤層なしエリアとする。
【００１１】
また、台紙面を覆う透明フィルムシートは綴じ込み代側で内側に折り返し、二重の部分を作る。そしてこの部分を第２の接着剤層エリアに接着するようにする。このようにすることで、台紙サイズ一杯のような大型の印画でも、端縁をこの折り返し部分の中に挿し込むことで位置決めが容易となり、折り返し部分を指先でつまんで透明フィルムシートを閉じることで大型印画の端縁が台紙の第１の接着剤層なしエリアの表面を滑るように移動するので、所望位置に円滑に貼付収納することができる。
【実施例】
【００１２】
図１から図５は本実施例の説明のためのものである。図はいずれも本発明のアルバムを構成する要部である１枚の台紙を図示しており、アルバムを構成する他の要素、表紙や綴じ具などは図示を省略してある。
【００１３】
図３に台紙の斜視図を示す。１は厚紙で形成した台紙であり、両面を利用する。２は接着剤層であって、粘着質の感圧性接着剤を層状に塗布あるいは印刷して形成する。１ｃは台紙１の一方の端部、綴じ込み端縁側に設けた複数の綴じ込み孔である。接着剤層２は、台紙１の左右方向のほぼ中心に、左右幅全体の約１／３程度の幅で、縦方向は上端から下端に至るように形成した第１の接着剤層エリア２ａと、綴じ込み孔１ｃ付近を綴じ込み代１ｄとして残した部分の左寄りに、第１の接着剤層エリア２ａよりも狭い幅で縦方向は上端から下端に至るように形成した第２の接着剤層エリア２ｂとからなる。第１の接着剤層エリア２ａの左側の接着剤層なしの部分を第１の接着剤なしエリア１ａ、第１の接着剤層エリア２ａの右側、第２の接着剤層エリア２ｂとの間の接着剤なしの部分を第２の接着剤なしエリア１ｂとする。
【００１４】
図１及び図２において３は透明フィルムシートである。薄いプラスティックの透明フィルムシート３は台紙１の両面を覆うように、台紙１の綴じ込み代１ｄ側とは逆の端部で二つ折りとし、台紙１の綴じ込み代１ｄ側は第２の接着剤層エリア２ｂの綴じ込み代１ｄ寄りの端縁と合致する位置でさらに内側に折り返して折り返し面３ｂを形成し、その先端３ｃを第２の接着剤層なしエリア１ｂの中央付近に至るような大きさとしてある。
【００１５】
図１及び図２において、４は収納しようとする印画紙である。この図の例では台紙１の大きさに近い、大型の印画紙となっている。
【００１６】
不使用時は透明フィルムシート３が第１及び第２の接着剤層エリア１ａ、１ｂにぴったりと貼り付いており、印画紙４を収納しようとするときは、透明フィルムシート３の綴じ込み代１ｄ側の端部３ｄをつまんで引き剥がし、印画紙４の一端を折り返し面３ｂの内側最奥部にピッタリと収まるように取り込み、透明フィルムシート３の折り返し面３ｂとともにつまんで台紙１側に図１の矢印Ａ方向に貼り付ける。この場合、図１のように、印画紙４の端部４ａは台紙１の第１の接着剤層なしエリア１ａの表面を矢印Ｂ方向に滑るようにして収納されるので曲がるようなことがなく貼ることができる。続いて図２のように、折り返し面３ｂの先端３ｃが台紙１の第２の接着剤層なしエリア１ｂの表面を滑るようにして移動するのでスムーズに収納され、透明フィルムシート３にシワなどが生じることもない。印画紙４の中央付近が第１の接着剤層エリア２ａに接着、透明フィルムシート３の折り返し面３ｂが第２の接着剤層エリア２ｂに接着し、印画紙４は安定して収納される。
【００１７】
詳細な説明は省略するが、図１、図２で理解されるように台紙１の裏側も左右が逆になるが同様な構成となっているので、同様に台紙１の裏側にも印画紙を貼付収納することができる。
【００１８】
このようにして貼付収納した状態を図４に示した。
【００１９】
図５は印画紙のサイズが前記例よりは小さい場合の貼付状態を示す。４０は小型印画紙の写真などであり、台紙１に設けた第１の接着剤層エリア２ａの適所を利用して貼付することができる。また４１はさらに小型の名刺等のカードであり、同様に台紙１に設けた第１の接着剤層エリア２ａの適所を利用して貼付することができる。４２は横長なパノラマ版の写真等であり、前記した大型の印画紙同様、台紙１の第１及び第２の接着剤層エリア２ａ、２ｂ、第１及び第２の接着剤なしエリア１ａ、１ｂを利用して貼付することができる。
【００２０】
このように本発明のアルバムによれば、大型から小型までの各種の印画紙を自由に容易に貼付することができる。
【００２１】
なお、前記した実施例では接着剤層は第１及び第２の接着剤層エリアの二つとして説明したが必要があればさらに分割して数を増やしてもよい。また、各接着剤層エリアの幅サイズはこの例に限定されるものではない。
【図面の簡単な説明】
【００２２】
【図１】本発明のアルバムの台紙の使用状態の斜視図である。
【図２】本発明のアルバムの台紙の使用状態の側面図である。
【図３】本発明のアルバムの台紙の使用状態の側面図である。
【図４】本発明のアルバムの台紙の使用例の正面図である。
【図５】本発明のアルバムの台紙の使用例の正面図である。
【図６】従来のアルバムの台紙の正面図である。
【符号の説明】
【００２３】
１      台紙
１ａ    第１の接着剤層なしエリア
１ｂ    第２の接着剤層なしエリア
２      接着剤層
２ａ    第１の接着剤層エリア
２ｂ    第２の接着剤層エリア
３      透明フィルムシート
４、４０、４１、４２      印画紙
【図１】
2005059345.tif 000003
【図２】
2005059345.tif 000004
【図３】
2005059345.tif 000005
【図４】
2005059345.tif 000006
【図５】
2005059345.tif 000007
【図６】
2005059345.tif 000008